(57)【要約】【課題】紙面の基準点に対して容易且つ短時間で正確に位置決めできるようにする。【解決手段】硬質で且つ透明な平板状とされると共に、左右方向に細長い長方形状とされ、上面及び／又は下面に目盛表示部１が配設されて、目盛表示部１に、前後方向の縦線５と左右方向の横線６が配設されることで、多数の方眼７から成る方眼目盛８が配設され、方眼７の内部の中央部に、内側トンボ９が配設され、方眼７の四周にある辺部１０の中央部に、内側トンボ９と重ならない外側トンボ１１が配設されている。【選択図】図２
0003162036.tif 000002
【実用新案登録請求の範囲】
【請求項１】
透明とされて、多数の方眼から成る方眼目盛が配設された定規において、
方眼内部の中央部に、内側トンボが配設された定規。
【請求項２】
硬質で且つ透明な平板状とされると共に、
左右方向に細長い長方形状とされ、
上面及び／又は下面に目盛表示部が配設されて、
目盛表示部に、前後方向の縦線と左右方向の横線が配設されることで、多数の方眼から成る方眼目盛が配設された定規において、
方眼内部の中央部に、内側トンボが配設された定規。
【請求項３】
内側トンボの形状が、＋、×又＊とされた請求項１又は２記載の定規。
【請求項４】
方眼の四周にある辺部の中央部に、内側トンボと重ならない外側トンボが配設された請求項１〜３の何れかに記載の定規。
【請求項５】
方眼の辺部の中央部に、短い線分を直交状に配設することで、外側トンボを構成した請求項４記載の定規。
【請求項６】
目盛表示部に寸法目盛を配設した請求項２〜５の何れかに記載の定規。
【考案の詳細な説明】
【技術分野】
【０００１】
本考案は定規に関する。
【背景技術】
【０００２】
紙を切断したり、紙面に線を引いたり、或いは、点を打つ定規として、透明な樹脂製の薄い平板状とされると共に、左右方向に細長い長方形状とされて、方眼目盛が設けられたものがある（例えば、特許文献１参照）。このような定規では、方眼目盛により、紙面の所望の基準点に対して定規を位置決めすることで、紙面の基準点から所望距離だけ離れた箇所を正確に切断したり、或いは、上記箇所に線を正確に引いたりできる。
【０００３】
ところで、上記の場合において、切断や線引きを正確に行うようにするには、定規の方眼目盛をできるだけ細かくする必要がある。しかしながら、定規の方眼目盛を細かくし過ぎると、紙面の線、図形、模様、文字等と定規の方眼目盛とが錯綜し、紙面の基準点に対して定規を容易且つ短時間で正確に位置決めできないとの問題があった。
【先行技術文献】
【特許文献】
【０００４】
【特許文献１】実開平４−７９６９２号公報
【考案の概要】
【考案が解決しようとする課題】
【０００５】
本考案は、紙面の基準点に対して容易且つ短時間で正確に位置決めできる定規を提供することを目的とする。
【課題を解決するための手段】
【０００６】
上記目的を達成するために、本考案の特徴とするところは、透明とされて、多数の方眼から成る方眼目盛が配設された定規において、方眼内部の中央部に、内側トンボが配設された点にある。
尚、硬質で且つ透明な平板状とされると共に、左右方向に細長い長方形状とされ、上面及び／又は下面に目盛表示部が配設されて、目盛表示部に、前後方向の縦線と左右方向の横線が配設されることで、多数の方眼から成る方眼目盛が配設された定規において、方眼内部の中央部に、内側トンボが配設されることもある。
又、内側トンボの形状が、＋、×又＊とされることもある。
更に、方眼の四周にある辺部の中央部に、内側トンボと重ならない外側トンボが配設されることもある。
又、方眼の辺部の中央部に、短い線分を直交状に配設することで、外側トンボを構成することもある。
更に、目盛表示部に寸法目盛を配設することもある。
【考案の効果】
【０００７】
本考案によれば、紙面の基準点に対して定規を容易且つ短時間で正確に位置決めできる。
【図面の簡単な説明】
【０００８】
【図１】本考案の実施の形態の一例を示す平面図である。
【図２】図１のＡ矢示部の拡大図である。
【図３】図１のＢ矢示部の拡大図である。
【図４】図１のＣ矢示部の拡大図である。
【図５】図２のＤ−Ｄ線矢示断面図である。
【考案を実施するための形態】
【０００９】
以下、本考案を直（直線）定規に適用した実施の形態の一例を図面に基づき説明すると、定規は透明な硬質樹脂製の薄い平板状とされて、左右に細長い長方形状とされている。硬質樹脂としては、例えば、アクリル樹脂や塩化ビニール樹脂等が使用される。定規下面における、右側部を除く全体が目盛表示部１とされると共に、下面の右側端部が外側寸法目盛２とされており、これらは、黒色インキによる印刷等により形成されている。尚、目盛表示部１及び外側寸法目盛２を、定規の上面、又は、上面及び下面の両者に配設することもある。定規の目盛表示部１と外側寸法目盛２間には、吊下用の孔３が上下方向に貫通形成されている。
【００１０】
目盛表示部１は左右方向に細長い長方形状とされて、目盛表示部１には、一定間隔で平行とされた前後方向の縦線５と、上記間隔で平行とされ且つ縦線５と直交する左右方向の横線６が多数配設されており、これら縦線５、横線６、目盛表示部（定規）１の前後端縁及び左側端縁により、多数の方眼（正方形のマス目）７が形成されて、方眼目盛８が構成されている。縦線５及び横線６の間隔は１０ｍｍとされて、方眼７は１０ｍｍ方眼とされている。方眼７の内部の中央部（位置）には、内側トンボ９が配設されると共に、方眼の四周にある各辺部１０の中央部（位置）には、内側トンボ９と重ならない（干渉しない）外側トンボ１１が配設されている。これらトンボ９，１１は、本明細書では、位置決め用の印、マークとして使用されている。内側トンボ９は、例えば、＋、×、＊等とされている。又、図例では、各辺部１０の中央部に、各辺部１０と直交する前後方向又は左右方向の短い線分１２が配設されて、この線分１２と各辺部１０により、外側トンボ１１が構成されている。尚、各辺部１０の一部を削除（省略）して、その部分に、例えば、＋、×、＊等を配設することで、外側トンボ１１を構成することもある。又、外側トンボ１１は、目盛表示部（定規）１の前後端縁及び左側端縁、目盛表示部１の右側端縁には形成されていない。
【００１１】
目盛表示部１の前後端部には、１ｍｍ刻みの前側・後側寸法目盛１４，１５が配設され、目盛表示部１の左右端部にも、１ｍｍ刻みの左側・右側寸法目盛１６，１７が配設されている。尚、縦線５の前後端部は一部削除（省略）されて、この削除部分に、前側・後側寸法目盛用の寸法を示す寸法表示数字１８，１９が配設されている。前側寸法目盛用の寸法表示数字１８は、左から右に向かって、１〜２９の順で配設されている。後側寸法目盛用の寸法表示数字１９は、定規の後方側が上側となるように、逆向きに配設されると共に、左から右に向かって、１４〜０〜１４の順で配設されている。左側・右側寸法目盛１６，１７にも、寸法を示す寸法表示数字２０，２１が配設されており、寸法表示数字２０，２１は、前から後に向かって、１〜５の順で配設されている。尚、左端から５ｃｍ置きの縦線５には、外側トンボ１１は配設されておらず、代わりに、１ｍｍ刻みの内側寸法目盛２２が配設されている。
【００１２】
外側寸法目盛２も１ｍｍ刻みの寸法目盛とされており、この目盛にも、寸法を示す寸法表示数字２４が配設されているが、この寸法表示数字２４は、定規の後方側が上側となるように、逆向きに配設されている。寸法表示数字２４は、後から前に向かって、１〜６の順で配設されている。
【００１３】
尚、定規の上面の上端部は、前方に移行するに従って下方に移行する傾斜面２６とされている。
【００１４】
上記構成例によれば、紙を切断したり、紙面に線を引いたり、或いは、点を打つ際には、紙面の所望の基準点（ポイント）に対して定規を位置決めし、各寸法目盛２，１４〜１７，２２を利用することで、紙面の基準点から所望距離だけ離れた箇所を正確に切断したり、上記箇所に線を正確に引いたり、或いは、上記箇所に点を打ったりできる。
【００１５】
上記の場合において、紙面の基準点に対して定規を位置決めする際に、定規の方眼目盛８のみならず、内側トンボ９や外側トンボ１１を利用して、定規を位置決めできるので、方眼目盛８を細かくし過ぎることなく（即ち、図例のように、方眼７を１０ｍｍ方眼のような大きなものとできる。）、定規を正確に位置決めできる。従って、紙面の線、図形、模様、文字等と定規の方眼目盛８が錯綜する惧れが少なく、紙面の基準点に対して定規を容易且つ短時間で正確に位置決めできる。
【００１６】
尚、上記構成例は本考案を直定規に適用したものであるが、本考案は、三角定規やその他の定規にも適用可能である。
【産業上の利用可能性】
【００１７】
本考案は、紙を切断したり、紙面に線を引いたり、或いは、点を打つための定規に適用できる。
【符号の説明】
【００１８】
１  目盛表示部
２  外側寸法目盛
５  縦線
６  横線
７  方眼
８  方眼目盛
９  内側トンボ
１０  辺部
１１  外側トンボ
１２  線分
１４，１５  前側・後側寸法目盛
１６，１７  左側・右側寸法目盛
２２  内側寸法目盛
【図１】
0003162036.tif 000003
【図２】
0003162036.tif 000004
【図３】
0003162036.tif 000005
【図４】
0003162036.tif 000006
【図５】
0003162036.tif 000007